(57)【要約】      （修正有）【課題】自発光式視線誘導灯を非常時に避難施設等で非常用電源として有効利用する非常用電源システムを提供する。【解決手段】自発光式視線誘導灯の蓄電部３に蓄えられた直流電力を交流電力に変換するインバータ１１と、電気コンセント１２とを備え、自発光式視線誘導灯は、支持ポールの上端部に発光・発電部を固定させている固定手段の固定を解除することより、発光・発電部２が支持ポールから取り外され、筒状の支持ポール内に収納された蓄電部３が取り出されるように組み付けられており、且つ蓄電部３または発光・発電部２の頭部キャップを取り外すことにより露出される上蓋には蓄電部３の蓄電体３１に蓄えられた電力を外部へ取り出せるようにするための非常用電源取出用の出力端子４が設けられた構成を有する。【選択図】図１
0003179577.tif 000002
【実用新案登録請求の範囲】
【請求項１】
太陽電池及びＬＥＤを備えた発光・発電部と、蓄電体を備えた蓄電部とを有し、道路の路肩等の支持ポールに設置されて車両運転者等の視線を誘導する自発光式視線誘導灯を、災害等の非常時には支持ポールから取り外して避難施設等の所用場所において非常用電源として有効利用するためのシステムであって、
上記自発光式視線誘導灯の蓄電部の蓄電体に蓄えられた電力を非常用電源として利用できるように蓄電体の直流電力を交流電力に変換するインバータと、
インバータと電気的に接続された電気コンセントとを備え、
上記自発光式視線誘導灯は、上記支持ポールの上端部に発光・発電部を固定させている固定手段の固定を解除することより、発光・発電部が支持ポールから取り外され、筒状の支持ポール内に収納された蓄電部が取り出されるように組み付けられており、且つ蓄電部または発光・発電部の頭部キャップを取り外すことにより露出される上蓋には蓄電部の蓄電体に蓄えられた電力を外部へ取り出せるようにするための非常用電源取出用の出力端子が設けられた構成を有し、
上記非常用電源取出用出力端子と上記インバータとが電気的に接続されることにより、上記自発光式視線誘導灯の蓄電部の蓄電体に蓄えられた電力が上記電気コンセントを通じて電気機器へ給電される構成とした自発光式視線誘導灯利用の非常用電源システム。
【請求項２】
請求項１に記載の自発光式視線誘導灯利用の非常用電源システムにおいて、
上記自発光式視線誘導灯にあっては、発光・発電部は、縦長筒状の透明ケース内に太陽電池とＬＥＤとが配設され、蓄電部は、縦長筒状のバッテリーケース内に蓄電体が配設され、これら発光・発電部と蓄電部とは、ともに全体的に縦長状に形成されており且つハーネスで電気的に接続された状態で分離可能に構成されており、
分離された発光・発電部と蓄電部とを配置させるラックを有し、
上記ラックは、
縦長状の発光・発電部を寝かせた状態で支持する発光・発電部用支持部と、
発光・発電部用支持部に支持された発光・発電部の下に縦長状の蓄電部を寝かせた状態で支持する蓄電部用支持部と、
発光・発電部用支持部が取り付けられて発光・発電部を傾斜姿勢に保持するように回動可能に設けられたフレームとを有する自発光式視線誘導灯利用の非常用電源システム。
【請求項３】
請求項２に記載の自発光式視線誘導灯利用の非常用電源システムにおいて、
上記発光・発電部の透明ケースの上部と下部には、透明ケースよりも大径筒状の上カバーと下カバーとが取り付けられており、
上記ラックの発光・発電部用支持部は、
発光・発電部の透明ケースと下カバーとの間の段差部分に当接可能に発光・発電部の下部側を受け止める第１大凹状部と、
発光・発電部の透明ケースと上カバーとの間の段差部分に当接可能に発光・発電部の上部側を受け止める第２大凹状部とを有する自発光式視線誘導灯利用の非常用電源システム。
【請求項４】
請求項２又は３に記載の自発光式視線誘導灯利用の非常用電源システムにおいて、
上記蓄電部は、１個の蓄電体を収納する短尺のバッテリーケースを備える場合と、複数個の蓄電体を収納する長尺のバッテリーケースを備える場合とを有し、
上記ラックの蓄電部用支持部は、蓄電部を支持する第１〜第３の小凹状部を備え、
第１小凹状部と第２小凹状部とは短尺バッテリーケースを備える蓄電部の両端を受け止めることができる間隔に設定され、
第１小凹状部と第３小凹状部とは長尺バッテリーケースを備える蓄電部の両端を受け止めることができる間隔に設定されている自発光式視線誘導灯利用の非常用電源システム。
【請求項５】
請求項２に記載の自発光式視線誘導灯利用の非常用電源システムにおいて、
上記ラックの発光・発電部用支持部は、発光・発電部を受け止める凹部を有する波板体により構成され、
波板体は、凹部の全長が発光・発電部の上カバーと下カバーの間の透明ケース部分の長さと略等しく設定されて、凹部の端部が透明ケースと上カバー又は下カバーとの間の段差部分に当接可能に構成されている自発光式視線誘導灯利用の非常用電源システム。
【考案の詳細な説明】
【技術分野】
【０００１】
本考案は、平時は道路の路肩等に設置されて車両運転者等の視線を誘導するために使用される自発光式視線誘導灯を、災害等の非常時には避難施設等における非常用電源として利用可能な自発光式視線誘導灯利用の非常用電源システムに関する。
【背景技術】
【０００２】
自発光式視線誘導灯は、ＬＥＤ（発光ダイオード）と、太陽電池と、蓄電体とを備えている。従来、この自発光式視線誘導灯において携帯電話器用充電器を装備させて蓄電体の電気エネルギーを携帯電話器の充電用として利用することが提案されている（特許文献１）。
【先行技術文献】
【特許文献】
【０００３】
【特許文献１】実用新案登録第３１６９２０４号公報
【考案の開示】
【考案が解決しようとする課題】
【０００４】
ところで、地震等の災害時に停電した場合に避難施設等の所用場所において、テレビ、ラジオ、インターネット等の情報収集機器や照明機器等その他の各種電気機器のための非常用電源を確保したいという要望がある。この場合、バッテリーを備えた非常用電源装置を避難施設に常備することが考えられるが、それでは非常用電源装置の保管場所も必要であり、しかも、滅多に起こらない非常時に備えて常に非常用電源装置を充電させておく必要があり、電力が無駄に消費されるという問題があった。
【０００５】
本考案は、上記事情に鑑み、普段は車両運転者等の視線を誘導するために道路の路肩等に設置されている自発光式視線誘導灯を、非常時に避難施設等で非常用電源として有効利用することが可能な自発光式視線誘導灯利用の非常用電源システムを提供することを目的とする。
【課題を解決するための手段】
【０００６】
本考案に係る自発光式視線誘導灯利用の非常用電源システムは、
太陽電池及びＬＥＤを備えた発光・発電部と、蓄電体を備えた蓄電部とを有し、道路の路肩等の支持ポールに設置されて車両運転者等の視線を誘導する自発光式視線誘導灯を、災害等の非常時には支持ポールから取り外して避難施設等の所用場所において非常用電源として有効利用するためのシステムであって、
上記自発光式視線誘導灯の蓄電部の蓄電体に蓄えられた電力を非常用電源として利用できるように蓄電体の直流電力を交流電力に変換するインバータと、
インバータと電気的に接続された電気コンセントとを備え、
上記自発光式視線誘導灯は、上記支持ポールの上端部に発光・発電部を固定させている固定手段の固定を解除することより、発光・発電部が支持ポールから取り外され、筒状の支持ポール内に収納された蓄電部が取り出されるように組み付けられており、且つ蓄電部または発光・発電部の頭部キャップを取り外すことにより露出される上蓋には蓄電部の蓄電体に蓄えられた電力を外部へ取り出せるようにするための非常用電源取出用の出力端子が設けられた構成を有し、
上記非常用電源取出用出力端子と上記インバータとが電気的に接続されることにより、上記自発光式視線誘導灯の蓄電部の蓄電体に蓄えられた電力が上記電気コンセントを通じて電気機器へ給電される構成としたものである。
【０００７】
上記自発光式視線誘導灯にあっては、発光・発電部は、縦長筒状の透明ケース内に太陽電池とＬＥＤとが配設され、蓄電部は、縦長筒状のバッテリーケース内に蓄電体が配設され、これら発光・発電部と蓄電部とは、ともに全体的に縦長状に形成されており且つハーネスで電気的に接続された状態で分離可能に構成されており、
分離された発光・発電部と蓄電部とを配置させるラックを有し、
上記ラックは、
縦長状の発光・発電部を寝かせた状態で支持する発光・発電部用支持部と、
発光・発電部用支持部に支持された発光・発電部の下に縦長状の蓄電部を寝かせた状態で支持する蓄電部用支持部と、
発光・発電部用支持部が取り付けられて発光・発電部を傾斜姿勢に保持するように回動可能に設けられたフレームとを有することが望ましい。
【０００８】
また、上記発光・発電部の透明ケースの上部と下部には、透明ケースよりも大径筒状の上カバーと下カバーとが取り付けられており、
上記ラックの発光・発電部用支持部は、
発光・発電部の透明ケースと下カバーとの間の段差部分に当接可能に発光・発電部の下部側を受け止める第１大凹状部と、
発光・発電部の透明ケースと上カバーとの間の段差部分に当接可能に発光・発電部の上部側を受け止める第２大凹状部とを有することが望ましい。
【０００９】
また、上記蓄電部は、１個の蓄電体を収納する短尺のバッテリーケースを備える場合と、複数個の蓄電体を収納する長尺のバッテリーケースを備える場合とを有し、
上記ラックの蓄電部用支持部は、蓄電部を支持する第１〜第３の小凹状部を備え、
第１小凹状部と第２小凹状部とは短尺バッテリーケースを備える蓄電部の両端を受け止めることができる間隔に設定され、
第１小凹状部と第３小凹状部とは長尺バッテリーケースを備える蓄電部の両端を受け止めることができる間隔に設定されていることが望ましい。
【００１０】
また、上記ラックの発光・発電部用支持部は、発光・発電部を受け止める凹部を有する波板体により構成され、
波板体は、凹部の全長が発光・発電部の上カバーと下カバーの間の透明ケース部分の長さと略等しく設定されて、凹部の端部が透明ケースと上カバー又は下カバーとの間の段差部分に当接可能に構成されているようにすることも可能である。
【考案の効果】
【００１１】
以上のように、本考案によれば、普段は車両運転者等の視線を誘導するために道路の路肩等に設置されている自発光式視線誘導灯を、非常時に避難施設等で非常用電源として有効利用することができる。
【図面の簡単な説明】
【００１２】
【図１】実施形態による自発光式視線誘導灯利用の非常用電源システムを示す模式図である。
【図２】自発光式視線誘導灯の構成を示す模式図である。
【図３】自発光式視線誘導灯をラックに配設した状態を示す斜視図である。
【図４】自発光式視線誘導灯をラックに配設した状態を正面から見た斜視図である。
【図５】自発光式視線誘導灯を載置するラックを示す斜視図である。
【図６】ラック上の自発光式視線誘導灯における発光・発電部を傾斜させた状態を示す斜視図である。
【図７】ラック上の自発光式視線誘導灯における発光・発電部を傾斜させた状態を正面から見た斜視図である。
【図８】発光・発電部用支持部及び蓄電部用支持部の他の例を示す模式図である。
【考案を実施するための形態】
【００１３】
以下に、本考案の実施形態について添付図面を参照しながら説明する。
実施形態による自発光式視線誘導灯利用の非常用電源システムＡは、自発光式視線誘導灯１の蓄電部３に蓄える電力を災害等の非常時の非常用電源として有効利用するものである。図１に示すように、この非常用電源システムＡは、自発光式視線誘導灯１と、自発光式視線誘導灯１における蓄電体３１の直流電力を交流電力に変換するインバータ１１と、インバータ１１と電気的に接続されて外部の電気機器に給電するための電気コンセント１２とを備える。そして、自発光式視線誘導灯１の蓄電部３から引き出された非常用電源取出用出力端子４をインバータ１１に接続するか（図１（ａ）参照）、自発光式視線誘導灯１の発光・発電部２から引き出された非常用電源取出用出力端子４をインバータ１１に接続するようにしている（図１（ｂ）参照）。
【００１４】
図２（ａ）に示すように、自発光式視線誘導灯１は、平時は車両運転者や歩行者等の視線を誘導するために道路の路肩や中央分離帯等の支持ポールＰに設置されている。自発光式視線誘導灯１は、支持ポールＰの上端部に立設された発光・発電部２と、支持ポールＰ内に収納された蓄電部３とを有する。図２（ｂ）も参照して、発光・発電部２は、細長い筒状の透明ケース２１内に、太陽電池２２のパネル板を三角筒状に３面に並設し、この三角筒状の１つの頂部にＬＥＤ（発光ダイオード）２３を一直線状に複数設けたＬＥＤ基板２３Ａを配設した構成を有する。透明ケース２１の上端には、上蓋２４が取り付けられており、この上蓋２４の外周に沿って透明ケース２１よりも大径筒状の上カバー２４ａが形成されている。上蓋２４には、透明ケース２１内の側にＬＥＤ２３の発光制御を行う制御部２７が設けられている。上蓋２４は、上カバー２４ａに螺合固定したドーム状の頭部キャップ２６によって覆い隠されている。この頭部キャップ２６は、裾部の内周に設けた内ネジを上カバー２４ａの外周に設けた外ネジと螺合させている。また、透明ケース２１の下端には、下蓋２５が取り付けられており、この下蓋２５の外周に沿って透明ケース２１よりも大径筒状の下カバー２５ａが形成されている。下カバー２５ａには、ボルト孔２５ｂが設けられており、このボルト孔２５ｂを通して固定ボルトＢを締め付けて支持ポールＰの側面を押圧して発光・発電部２を支持ポールＰに固定させている。
【００１５】
図２（ｃ）も参照して、蓄電部３は、上下にキャップ３２，３３を取り付けた細長い筒状のバッテリーケース３４内に、１個の蓄電体３１を収納したものである。なお、蓄電部３は、上記の１個の蓄電体３１を収納した短尺のバッテリーケース３４を２個等の複数個を縦長に配置して長尺な筒状の別のバッテリーケース３４に収納して複数個使いとしたものでもよい。蓄電体３１は、鉛蓄電池、リチウム電池等の２次電池、電気二重層コンデンサ等を用いることができる。蓄電部３は、発光・発電部２とハーネスＨで電気的に接続されている。発光・発電部２から延びるハーネスＨは、上蓋２４に配設する制御部２７に接続されており、太陽電池２２の発電電力を蓄電体３１に充電させると共に蓄電体３１に蓄えられた直流電力をＬＥＤ２３に給電させる。また、蓄電部３は、下側のキャップ３３の下面を通してバッテリーケース３４内から上方へ延ばしたコ字状の保持具３５が取り付けられており、この保持具３５の上端のフック部３５ａを支持ポールＰの上端に引っ掛けるか、または発光・発電部２の下カバー２５ａに引っ掛けるようにして、支持ポールＰ内に吊り下げ状態に収納させている。このように蓄電部３と発光・発電部２とは、ハーネスＨで電気的に接続された状態で分離して構成されている。
【００１６】
以上の構成より、自発光式視線誘導灯１は、支持ポールＰの上端部に発光・発電部２を固定する固定ボルトＢを緩めて外すと、発光・発電部２が支持ポールＰから取り外され、また、支持ポールＰ内に収納された蓄電部３が取り出されるように組み付けられている。従って、災害等で停電した非常時の場合、道路の支持ポールＰから自発光式視線誘導灯１を取り外して非難施設等の所用場所へ移動させる。
【００１７】
そして、非難施設等の所用場所においては、蓄電部３において蓄電体３１に蓄えられた電力を外部へ取り出せるようにするために設けられた非常用電源取出用出力端子４を引き出してインバータ１１に電気接続させる（図１（ａ）参照）。なお、蓄電部３の非常用電源取出用出力端子４は、発光・発電部２と電気接続していたハーネスＨであってもよいし、別に設けられていてもよい。
あるいは、発光・発電部２においても、上蓋２４には同様の非常用電源取出用の出力端子４が設けられているので、頭部キャップ２６を回し螺合解除させて取り外して上蓋２４を露出させ、上蓋２４から引き出した非常用電源取出用出力端子４をインバータ１１に電気接続させるようにしてもよい（図１（ｂ）参照）。なお、発光・発電部２の非常用電源取出用の出力端子４は、制御部２７またはＬＥＤ２３へ給電しているハーネスであってもよいし、別に設けられていてもよい。
これにより、蓄電部３の蓄電体３１に蓄えられた電力が直流から交流に変換されて電気コンセント１２から外部の電気機器へ給電可能となる。
【００１８】
インバータ１１には、複数台の自発光式視線誘導灯１を接続できるように複数の接続口を備えた端子接続部１１ａが設けられている（図１参照）。端子接続部１１ａには、複数台の自発光式視線誘導灯１から取り出した直流電力を直列接続させてインバータ１１へ供給する増圧部（不図示）が設けられている。従って、複数台の自発光式視線誘導灯１を用いることで、電圧を高くして電気コンセント１２に給電することができる。例えば、蓄電体３１が１個当り電圧２Ｖ、容量２５Ａｈ（フル充電時）で、蓄電部３が蓄電体３１の１個使いの場合、７台の自発光式視線誘導灯１をインバータ１１と電気接続させると、電気コンセント１２からは、電圧１４Ｖ、電力３５０Ｗｈ（１４Ｖ×２５Ａｈ）の直流電力が取り出し可能となる。この給電能力であれば、例えば、テレビ（消費電力５０ｗｈ）は約７時間、ラジオ（消費電力５ｗｈ）は約７０時間、パソコン（消費電力５０ｗｈ）は約７時間、電気スタンド（消費電量１０ｗｈ）は約３５時間、携帯電話の充電（消費電力１５ｗｈ）は約２３時間、などの使用時間が確保される。
【００１９】
ところで、道路の支持ポールＰから取り外した自発光式視線誘導灯１における発光・発電部２と蓄電部３とはラック５に設置される。図３、図４及び図５を参照して、ラック５は、７個（複数個）の縦長状の発光・発電部２を寝かせた状態で支持する発光・発電部用支持部（６１ａ，６２ａ）と、発光・発電部用支持部に支持された発光・発電部２の下に、７個（複数個）の縦長状の蓄電部３を寝かせた状態で支持する蓄電部用支持部（６１ｂ，６２ｂ，６３ｂ）と、発光・発電部用支持部で支持した発光・発電部２を傾斜状態に保持させるように回動可能に設けられたフレーム５１と、フレーム５１を設けたキャスター付きの架台５２とを有する。架台５２の前部には、インバータ１１及び電気コンセント１２を装備させたボックス１０が設けられている。従って、ラック５上に配置した各蓄電部３又は各発光・発電部２から非常用電源取出用出力端子４を引き出してボックス１０に接続させると、インバータ１１によって蓄電体３１に蓄えられた直流電力が交流電力に変換されて電気コンセント１２に給電される（図３、図４は、蓄電部３から引き出した非常用電源取出用出力端子４をボックス１０に接続した例を示す。）。
【００２０】
枠状のフレーム５１には、前後に前側支持板６１と後側支持板６２とが設けられ、中間に中間支持板６３が設けられている。図５を参照して、これら支持板６１，６２，６３は、フレーム５１の内側に設けたスリットに差し込んでセットされ、フレーム５１から取り外し可能に構成されている。前側支持板６１は、上端において円弧状に切り欠いた第１大凹状部６１ａが７つ形成され、その下方に円形に切り抜いた第１小凹状部６１ｂが７つ形成されている。後側支持板６２は、前側支持板６１と同形同大であって、上端の７つの第２大凹状部６２ａと下方の７つの第３小凹状部６２ｂとが形成されている。中間支持板６３は、前側支持板６１及び後側支持板６２よりも低く形成され、その上端には円弧状に切り欠いた第２小凹状部６３ｂが７つ形成されている。
【００２１】
そして、前側支持板６１の第１大凹状部６１ａと後側支持板６２の第２大凹状部６２ａが発光・発電部２を同じ高さで支持する発光・発電部用支持部を構成する。第１大凹状部６１ａは、発光・発電部２の透明ケース２１と下カバー２５ａとの間の段差部分に当接可能に発光・発電部２の下部側を受け止め、第２大凹状部６２ａは、発光・発電部２の透明ケース２１と上カバー２４ａとの間の段差部分に当接可能に発光・発電部２の上部側を受け止める。従って、前側支持板６１と後側支持板６２との間にわたって７台の発光・発電部２を横に並べて配置することができる。このとき、発光・発電部２は、その太陽電池２２のパネル面が上を向くように配置させる。この発光・発電部２は、上述のとおり、太陽電池２２が３面に配置されているので、真ん中の太陽電池２２のパネル面が上向きとなるようにすれば、上からも横からも太陽光を浴びて３面すべての太陽電池２２に太陽光を当てることができる。なお、第１、第２の大凹状部６１ａ，６２ａと発光・発電部２とには、太陽電池２２のパネル面が上を向くように位置決め部を設けるようにしてもよい。
【００２２】
また、前側支持板６１と後側支持板６２と中間支持板６３とにおける第１〜第３の小凹状部６１ｂ，６２ｂ，６３ｂが蓄電部３を同じ高さで支持する蓄電部用支持部を構成する。第１小凹状部６１ｂと第２小凹状部６３ｂとは短尺バッテリーケース３４を備える蓄電部３の両端を受け止めることができる間隔及び高さに設定され、第１小凹状部６１ｂと第３小凹状部６２ｂとは長尺バッテリーケース３４を備える蓄電部３の両端を受け止めることができる間隔及び高さに設定されている。すなわち、蓄電部３は、１個の蓄電体３１を収納する短尺のバッテリーケース３４を備える場合、図３に示すように、前側支持板６１と中間支持板６３との間にわたって７台の蓄電部３を並べて配置することができる。蓄電部３が２個の蓄電体３１を収納する長尺のバッテリーケース３４を備える場合は、前側支持板６１と後側支持板６２との間にわたって７台の蓄電部３を並べて配置することができる。
【００２３】
一方、図６、図７をも参照して、フレーム５１は、前側辺に架台５２との間で蝶番５３が取り付けられて回動され、左右側辺の後側に取り付けたアーム７１を架台５２のストッパー７２に係止させると、支持板６１，６２上の発光・発電部２が傾斜姿勢に保持される。この傾斜角度は、約３０度に設定されるので、発光・発電部２を南側に向けると、太陽光が太陽電池２２に効率よく照射される。この場合、図６、図７に示すように、各発光・発電部２は、縦向きに傾斜姿勢とされるが、後側支持板６２の第２大凹状部６２ａによって発光・発電部２の透明ケース２１と上カバー２４ａとの間の段差部分に当接して受け止められるので、発光・発電部２は、ラック５から滑り落ちることなく支持板６１，６２上に保持される。蓄電部３は、フレーム５１の前側部分に当接して受け止められるので、ラック５から滑り落ちることなく支持板６１，６３上に保持される。
【００２４】
従って、架台５２にはキャスターが設けられているので、昼間は、ラック５を避難施設の屋外などの日当たりの良いところに移動させ、発光・発電部２と蓄電部３とをハーネスＨで電気接続させ、フレーム５１を傾斜保持させて発光・発電部２を南側に向けておくことで、太陽電池２２によって蓄電体３１を効率よく充電させることができる。
一方、災害等の情報収集等のためにテレビなどの電気機器を非難施設内で使用したい場合は、蓄電部３または発光・発電部２から引き出した非常用電源取出用出力端子４を架台５２に設けたボックス１０に接続し、このボックス１０の電気コンセント１２に電気機器の電気プラグを差し込み接続すると、その電気機器は、蓄電体３１の電力によって使用が可能となる。なお、施設内では、フレーム５１を折り畳んだ状態にしてもよい。
このように、実施形態の非常用電源システムＡによれば、普段は車両運転者等の視線を誘導するために道路の路肩等に設置されている自発光式視線誘導灯１を、非常時に避難施設等で非常用電源として有効利用することができる。
【００２５】
なお、本考案は、上記実施形態のみに限定されず、種々の変更を施すことが可能である。
例えば、発光・発電部用支持部（６１ａ，６２ａ）や蓄電部用支持部（６１ｂ，６２ｂ，６３ｂ）は、フレーム５１を傾斜させることで発光・発電部２が縦向きの傾斜姿勢となるように設けられているが、発光・発電部２が横向きとなってひな壇状の傾斜姿勢となるように設けられてもよい。例えば、３枚の各支持板６１，６２，６３をフレーム５１の左右方向に取り付けるようにすればよい。この場合、フレーム５１を傾斜させたときに発光・発電部２や蓄電部３がラック５から転げ落ちないように第１、第２の大凹状部６１ａ，６２ａや第２小凹状部６２ｂの深さを設定したり、上から押さえ付ける押さえ部材を設けることができる。
【００２６】
また、支持板６１，６２，６３に代えて、第１、第２の大凹状部６１ａ，６２ａや第１〜第３の小凹状部６１ｂ，６２ｂ，６３ｂを折り曲げ形成した線材で構成するようにしてもよい。この線材も、フレーム５１を傾斜させると発光・発電部２や蓄電部３が縦向き傾斜姿勢又は横向き傾斜姿勢となるように設けることができる。
【００２７】
また、発光・発電部用支持部（６１ａ，６２ａ）は、前側支持板６１及び後側支持板６２に代えて発光・発電部２を受け止める凹部を有する１枚の波板体６Ａにより構成してもよいし、また、蓄電部用支持部（６１ｂ，６２ｂ，６３ｂ）も蓄電部３を受け止める凹部を有する波板体６Ｂにより構成してもよい。例えば、図８（ａ）に示すように、波板体６Ａ，６Ｂは、凹部の向きが、フレーム５１を傾斜させると発光・発電部２や蓄電部３が横向き傾斜姿勢となるように設けることができる。この場合、発光・発電部用の上側の波板体６Ａは、蓄電部用の下側の波板体６Ｂに対して開閉自在に設け、また、上側波板体６Ａと下側波板体６Ｂにおける各々の凹部は、半ピッチずれて重ね合わされるようにする。これにより、下側波板体６Ｂの各凹部に支持された蓄電部３に対応して上側波板体６Ａの凸部の裏面が配置されるので、フレーム５１を傾斜させたときに蓄電部３がラック５から転げ落ちないようにすることができる。また、上側波板体６Ａに支持させた発光・発電部２は、上側波板体６Ａに設けた押さえ部材８を回動させて発光・発電部２を上から押さえ付けるようにし、フレーム５１を傾斜させたときに発光・発電部２がラック５から転げ落ちないようにすることができる。
【００２８】
一方、図８（ｂ）を参照して、発光・発電部２を支持する上側の波板体６Ａは、凹部の全長が発光・発電部２の上カバー２４ａと下カバー２５ａの間の透明ケース２１部分の長さと略等しく設定されて、凹部の両端部が透明ケース２１と上カバー２４ａ又は下カバー２５ａとの間の段差部分に当接可能に構成する。これにより、上側波板体６Ａは、凹部の向きが、フレーム５１を傾斜させると発光・発電部２が縦向き傾斜姿勢となるように設けた場合でも、フレーム５１を傾斜させたときに発光・発電部２がラック５から転げ落ちないようにすることができる。なお、同様に蓄電部３が縦向き傾斜姿勢となるタイプでは、蓄電部用の下側の波板体６Ｂは、フレーム５１を傾斜させたときに蓄電部３がフレーム５１の前側辺に当接されてラック５から転げ落ちない大きさ又は位置に設定すればよい。
【００２９】
さらに、ラック５には、フレーム５１に代えて道路の支持ポールＰと似せたポールを架台５２に設け、このポールに自発光式視線誘導灯１を配設させ、架台５２に設けたインバータ１１及び電気コンセント１２のボックス１０を設けるようにしてもよい。
【符号の説明】
【００３０】
１  自発光式視線誘導灯
２  発光・発電部
３  蓄電部
４  非常電源取出用出力端子
５  ラック
６Ａ  上側波板体
６Ｂ  下側波板体
１０  ボックス
１１  インバータ
１２  電気コンセント
２１  透明ケース
２２  太陽電池
２３  ＬＥＤ
２４  上蓋
２４ａ  上カバー
２５  下蓋
２５ａ  下カバー
２６  頭部キャップ
３１  蓄電体
５１  フレーム
６１  前側支持板
６１ａ  第１大凹状部（発光・発電部用支持部）
６１ｂ  第１小凹状部（蓄電部用支持部）
６２  後側支持板
６２ａ  第２大凹状部（発光・発電部用支持部）
６２ｂ  第３小凹状部（蓄電部用支持部）
６３  中間支持板
６３ｂ  第２小凹状部（蓄電部用支持部）
Ａ  非常用電源システム
Ｂ  固定ボルト
Ｈ  ハーネス
Ｐ  支持ポール
【図１】
0003179577.tif 000003
【図２】
0003179577.tif 000004
【図３】
0003179577.tif 000005
【図４】
0003179577.tif 000006
【図５】
0003179577.tif 000007
【図６】
0003179577.tif 000008
【図７】
0003179577.tif 000009
【図８】
0003179577.tif 000010